(57)【要約】      （修正有）【課題】三分割電子冷却方法として、陽電子冷却  陰電子冷却  中間電子冷却リサイクル熱電気（陽電子中間電子（熱抵抗電気再利用）プラス電気再利用（陰電子中間電子（熱抵抗電気再利用）マイナス電気再利用これらの方法で、電気製品に、熱抵抗の、無理を、かけず家電製品を、小エネルギーで作動させる。【解決手段】通常電気配線２４，２６の電気を、三電子分割にして，陽電子素子体１１陰電子電気配線１６中間電子素子体１０，２３これら圧電素子三分割体にして、プラス陽電子素子体固形窒素冷却装置２８マイナス陰電子素子体固形窒素冷却装置２９これらの冷却装置に、よって電気の流れは、スムーズムになり、リサイクル戻りプラス電気冷却装置６リサイクル戻りマイナス電気冷却装置１７これら、冷却装置リサイクル電気融合に、よって電気の再利用化が、図られる。【選択図】        図１
2004304992.tif 000002
【特許請求の範囲】
【請求項１】
この５連結モーター（４５，４６）五つのモーター回転体（１０，１１，１２，１３，１４，）を、単独として、五つの単独コイル（４７，４１，４９  ５０，５１，）を、従えて、複数電気配線は、プラス配線（１５、２４、）マイナス配線（２０，２９，）プラス配線（１６，２５）マイナス配線（２１，３０）プラス配線（１７，２６）マイナス配線（２２，３１）プラス配線（１８，２７）マイナス配線（２３，３２）プラス配線（１９，２８）マイナス配線（４８，３３）それぞれのモーターは、同じ電気エネギーで、作動する。コイル配線絶縁体（３４，３５，３６，４４，）有する焼けないモーターである。
【請求項２】
五つのモーター回転体（１０，１１，１２，１３，１４）は、五つそれぞれの単独コイルを、持つ事に、よって電気エネルギーは、たくさん必要するがその変わり力のあるモーターであり  五つのモーター回転体を、持った連結モーターである。
【請求項３】
電気抵抗を、減らすこの装置は陽電子（１１）を、同じプラス電気絶縁体（８）陽電子中間電子（１１，１０）を区別して、使用され陰電子（１６）陰電子中間電子（１６，２３）は、マイナス電気絶縁体（２１）それぞれが、プラス電気絶縁体（８）マイナス電気絶縁体（２１）それぞれの役目を、果たす絶縁体である。
【請求項４】
電気の流れを、スムーズムにするため陽電子素子体（１１）陽電子（１１）だけの電気抵抗を、はずしてプラス陽電子固形窒素冷却装置（２８）に、よって電気の流れを、スムーズムに、する。陰電子素子体は、（１６）陰電子（１６）だけの電気抵抗を、はずしてマイナス陰電子固形窒素冷却装置（２９）に、よって電気の流れスムーズムに、するための、それぞれの、電気固形窒素冷却装置。
陽電子（１１）プラス中間電子（１０）は、中間電子リサイクルプラス電気配線（２）は、リサイクルプラス電気固形窒素冷却装置（６）で、電気融合を、果たす。
陰電子（１６）マイナス中間電子（２３）は、中間電子リサイクルマイナス電気配線（２０）は、リサイクルマイナス電気固形窒素冷却装置（１７）それぞれに、よってそれぞれ電気融合を、果たす冷却装置  リサイクル電気冷却装置である。
【発明の詳細な説明】
【０００１】
【発明の属する技術分野】
本発明は、電気抵抗を、減らした電気を、作り  電気抵抗分の電気を、リサイクル電気として、活用した  電気エネルギーリサイクルシステムである。
【０００２】
【従来の技術】
従来の電気は、電気配線と電気絶縁体を、幾つか重ねただけの電気配線そして、電気抵抗は、電気配線  電気機器に、熱エネルギーだけを、残すだけの電気システムである。
【０００３】
［発明が解決しょうとする課題］
従来の電気配線は、どの様な電気製品でも、熱だまりが、多く見られ長時間使用すると、電気製品の過熱  電気配線の過熱に、なるのが、ほとんどであった。
【０００４】
本発明は、通常電気を、陽電子（陽電子素子体）（１１）陰電子（陰電子素子体）（１６）それぞれ陽電子から、中間電子を、別々にして陰電子から中間電子を、別々に、することでリサイクル電気  陽電子  中間電子（１１，２）が、陽電子だけと言う、二つのプラス配線が、出来上がる事になる。同じくリサイクル電気（２０）は、陰電子  中間電子（１６，２０）が、陰電子だけと言う二つのマイナス配線が、出来上がる。それぞれの、電気抵抗が、少ない電気を、使用して残りの電気抵抗電気は、リサイクル電気として使用することを、目的としている。
【０００５】
【課題を、解決するための手段】
上記目的を、達成するために、本発明の、陽電子素子体  陰電子素子体  中間電子素子体は、圧電素子体を、三分割して（磁気分割）したものを、固形窒素で、それぞれを、冷却して、電気スピードを、はかり  リサイクル電気融合した、システム装置である。
【０００６】
上記  陽電子素子体  陰電子素子体  中間電子素子体は、圧電素子体  圧電効果の大きい、ロシェル塩  チタン酸バリウムなどを、使用して、三分割（磁気分割）を、はかる。
【０００７】
尚  陽電子素子体  陰電子素子体  中間電子素子体は、固形窒素で、冷却する事で、電気の流れを、スムーズムに、した。
【０００８】
また、陽電子素子体  中間電子素子体は、絶縁体（雲母、ポリエステルなどの）絶縁体を、使用することで、電気抵抗の少ない陽電子  プラス電気を、可能にしてリサイクル電気  陽電子  中間電子の、二つを、持ち得た  プラス電気二つの、電気配線を、可能にした。陰電子素子体から、つらなる連なるマイナス電気と、中間電子（陰電子と、中間電子の、二つの電子を、持ち得たマイナス電気の、二つの、マイナス電気配線を、絶縁体（雲母  ポリエステルなどの）絶縁体で、可能に、している。
【０００９】
さらに、超伝導配線を、使用することで、超伝導の世界が、さらに、近くなる。
【０００１０】
電気抵抗を、減らすこのシステムは、絶縁体（雲母、ポリエステルなどの）絶縁体で、全体が、さらに、固形窒素で、冷却され、絶縁されて、守られてる。
【０００１１】
この電気抵抗を、減らすシステムは、陽電子素子体  陰電子素子体  中間電子素子体  三電子分割素子体と、固形窒素冷却システムを、採用している。
【０００１２】
【発明の実施の形態】
発明の、形態を、図面を、参考にして説明する。
図１に、おいて通常プラス電気（２４）は、プラス電気配線大型留め金（１２）をボルトで、止める構造に、なっている。通常プラス電気（２４）は、銅板（１２）を、通じて陽電子素子体（１１）を、通りプラス電気二つに別れる。陽電子素子体（１１）は、プラス陽電子固形窒素冷却（２９）に、よって電気抵抗を、減らす事が、出来る。なお中間電子素子体（１１）を、持ち得た、陽電子素子体（１０）は、陽電子  中間電子電導銅板（９）を、経てリサイクルプラス電気小型銅板留め金（３１，７）を通りリサイクル中間電子プラス配線（２）が、リサイクル戻りプラス電気冷却装置（６）によってリサイクル電気融合に、なる。陽電子素子体（１１）は、陰電子素子体（１６）それぞれは、中間電子（１０）を、持ち得ない電気抵抗の少ない陽電子（プラス電気）（１１，２５）陰電子（マイナス電気）（１６，２７）それぞれを、固形窒素冷却装置（２８，２９）を、使って電気抵抗の、少ないスムーズムな、電気の流れを、得ることが出来る。陽電子（１１）と、中間電子（１０）の、絶縁体（プラス電気絶縁体）（８）で、区別されて、使用される。
【０００１３】
図２の、発明の形態を、説明する。
図１では、プラス電気抵抗を、減らす工夫を、試みる。図２でも、図１同様通常電気（２６）は、マイナス電気大型銅板電導体（１５）は、陰電子素子体（１６）は、マイナス陰電子固形窒素冷却装置（２９）に、よって陰電子（１６）だけの、中間電子（２３）の入ってない陰電子（１６）を、使用するため、電気抵抗が、少ない電気になる。マイナス電気小型銅板（３０）から、マイナス電気小型銅板留め金（１８）で、マイナス陰電子配線（２７）は、止められる。
電気抵抗の、持ち得た陰電子素子体（１６）そして中間電子（２３）は、電気抵抗がある電気は、陰電子中間電子電導銅板（２２）からなる。リサイクルマイナス電気小型銅板（１９）は、中間電子リサイクルマイナス配線（２０）を、戻りリサイクルマイナス電気銅板留め金（３２）からなる。中間電子リサイクルマイナス電気（２０）は、リサイクルマイナス中間電子冷却装置（１７）で、冷却マイナス電気（２０）として再利用される。陰電子マイナス電気（１６，２３）と、中間電子（２３）のない陰電子マイナス電気（１６）は、マイナス電気絶縁体（２１）から、つらなる。
【０００１４】
【発明の効果】
本発明は、以上説明したように、構成されてるので、以下に、記載されるような、効果を、奏する。
【０００１５】
電気を、陽電子素子体電気  陰電子素子体電気  中間電子素子体電気に、区分する事で、電気消費を、少なくできる
【０００１６】
陽電子素子体電気  陰電子素子体電気  中間電子素子体電気それぞれを、固形窒素で、冷却することで、電気のながれを、スムーズムに、する。
【０００１７】
中間電子素子体電気を、含む熱抵抗電気、陽電子素子体電気  陰電子素子体電気それぞれは、リサイクル電気として、冷却電気として、再利用される。
【図面の簡単な説明】
【図１】電気抵抗電気消費を、減らすプラス電気装置
【図２】電気抵抗電気消費を、減らすマイナス電気装置
【符号の説明】
１    プラス電気配線大型留め金
２    リサイクル中間電子プラス電気配線
３    プラス電気絶縁体外側
４    小型プラス電気銅板
５    小型プラス電気銅板留め金
６    リサイクル戻りプラス電気冷却装置
７    リサイクルプラス電気小型銅板留め金
８    プラス電気内側絶縁体
９    陽電子中間電子電導銅板
１０  中間電子素子体プラス側
１１  陽電子素子体
１２  プラス電気大型電導体銅板
１３  マイナス電気配線大型留め金
１４  マイナス電気絶縁体外側
１５  マイナス電気大型電導体銅板
１６  陰電子素子体
１７  リサイクル戻りマイナス電気冷却装置
１８  マイナス電気小型銅板留め金
１９  リサイクルマイナス電気小型銅板留め金
２０  中間電子リサイクルマイナス電気配線
２１  マイナス電気内側絶縁体留め金
２２  陰電子中間電子電導銅板
２３  中間電子素子体マイナス側
２４  プラス電気配線
２５  プラス陽電子電気配線
２６  マイナス電気配線
２７  マイナス陰電子電気配線
２８  プラス陽電子固形窒素冷却装置
２９  マイナス陰電子固形窒素冷却装置
３０  マイナス小型電気電導銅板
３１  リサイクル戻りプラス電気銅板留め金
３２  リサイクル戻りマイナス電気銅板留め金
【図１】
2004304992.tif 000003
【図２】
2004304992.tif 000004